(57)【特許請求の範囲】
【請求項１】
始動条件の成立に伴い遊技者に有利な遊技状態とするか否かを判定する判定手段と、
前記判定手段の判定結果に基づいて図柄の変動表示を行う図柄表示手段と、
演出画像を表示可能な画像表示手段と、
前記画像表示手段において、前記図柄の変動表示に伴って演出図柄を表示する演出図柄表示手段と、
前記画像表示手段において、前記図柄の変動開始から変動停止までの１回の変動期間内に行う演出として、当該演出の進行とともに段階的に表示が変化可能な演出を実行する演出制御手段と、を備え、
前記演出図柄を表示する図柄表示領域と、現在の段階にかかる表示を行う第１表示領域と、次以降の段階にかかる表示を行う第２表示領域とを有し、
前記演出制御手段は、前記演出において、前記第１表示領域と前記第２表示領域とを互いに重複しないように表示するとともに、前記演出にかかる表示が変化する各段階において、前段階よりも前記第１表示領域を順次拡大して表示し、
前記演出にかかる表示は、通常態様の表示と、該通常態様の表示とは異なる特定態様の表示と、を含み、
前記演出が、前記通常態様の表示によって実行される場合よりも、前記特定態様の表示によって実行される場合の方が、前記有利な遊技状態となる可能性が高いことを特徴とする遊技機。
【発明の詳細な説明】
【技術分野】
【０００１】
本発明は、遊技機に関わるものである。
【背景技術】
【０００２】
近年の遊技機は、遊技者に対して興趣性の高い演出を提供するために画像表示装置を備え、図柄が変動している変動期間内に様々な演出を行うことで遊技者に対し、遊技者に有利な遊技状態（有利状態）への期待感を与えるように構成されている。
上記演出の一つに予告演出があり、更に予告演出には、図柄変動中に画像表示装置に各種演出画像を表示する画像予告演出や、同じく図柄変動中に画像表示装置に複数の予告画面を連続的に表示する段階演出などがある。
【０００３】
予告演出は、一般的に、その種類や演出画像の内容によって有利状態への期待度が異なる。例えば画像予告演出であれば、表示する演出画像の種類や演出画像に含まれるキャラクターの色などによって有利状態への期待度が異なる。また、段階演出であれば、連続して表示される演出画面の枚数や画面の大きさ等によって期待度が異なり、演出画面の枚数が多いほど有利状態への期待度が高い。
【０００４】
なお、先行技術文献として、特許文献１には、複数種類の予告演出を段階的に実行し、有利状態となる場合には有利状態とならない場合に比べて実行される予告演出の個数が多くなるように実行する演出が開示されている。
【先行技術文献】
【特許文献】
【０００５】
【特許文献１】特開２００９−７２３８０公報
【発明の概要】
【発明が解決しようとする課題】
【０００６】
上記のように遊技機では、遊技者に対して興趣のある遊技を提供するようにしているが、遊技者が演出に慣れるにしたがって演出に対する興趣が薄れるため、新たな態様の遊技演出が常に求められていた。
本発明は、上記したような点を鑑みてなされたものであり、遊技の興趣を高める演出が可能な遊技機を提供することを目的とする。
【課題を解決するための手段】
【０００７】
本発明は、上述の課題を解決するためになされたものであり、以下の形態により実現することが可能である。
即ち、第１の形態の遊技機は、始動条件の成立に伴い遊技者に有利な遊技状態とするか否かを判定する判定手段と、前記判定手段の判定結果に基づいて図柄の変動表示を行う図柄表示手段と、演出画像を表示可能な画像表示手段と、前記画像表示手段において、前記図柄の変動表示に伴って演出図柄を表示する演出図柄表示手段と、前記画像表示手段において、前記図柄の変動開始から変動停止までの１回の変動期間内に行う演出として、当該演出の進行とともに段階的に表示が変化可能な演出を実行する演出制御手段と、を備え、前記演出図柄を表示する図柄表示領域と、現在の段階にかかる表示を行う第１表示領域と、次以降の段階にかかる表示を行う第２表示領域とを有し、前記演出制御手段は、前記演出において、前記第１表示領域と前記第２表示領域とを互いに重複しないように表示するとともに、前記演出にかかる表示が変化する各段階において、前段階よりも前記第１表示領域を順次拡大して表示し、前記演出にかかる表示は、通常態様の表示と、該通常態様の表示とは異なる特定態様の表示と、を含み、前記演出が、前記通常態様の表示によって実行される場合よりも、前記特定態様の表示によって実行される場合の方が、前記有利な遊技状態となる可能性が高いことを特徴とする。
【発明の効果】
【０００８】
本発明によれば、遊技の興趣を高めることが可能になる。
【図面の簡単な説明】
【０００９】
【図１】本発明の実施形態に係るパチンコ遊技機の全体正面図である。
【図２】本実施形態のパチンコ遊技機に備えられている演出ボタンの構成を示した図である。
【図３】本実施形態のパチンコ遊技機の遊技制御を行う遊技制御装置の構成を示したブロック図である。
【図４】各種乱数が取得される乱数テーブルの説明図であり、（ａ）は大当たり乱数テーブル、（ｂ）は大当たり図柄乱数テーブル、（ｃ）はリーチ乱数テーブル、（ｄ）は当たり乱数テーブルの一例をそれぞれ示した図である。
【図５】本実施形態のパチンコ遊技機におけるステップアップ予告演出の一例を示した図である。
【図６】本実施形態のパチンコ遊技機におけるステップアップ予告演出の第２の例を示した図である。
【図７】本実施形態のパチンコ遊技機におけるステップアップ予告演出の第３の例を示した図である。
【図８】本実施形態のパチンコ遊技機におけるステップアップ予告演出の第４の例を示した図である。
【図９】本実施形態のパチンコ遊技機におけるステップアップ予告演出の第５の例を示した図である。
【図１０】本実施形態のパチンコ遊技機におけるステップアップ予告演出の第６の例を示した図である。
【図１１】本実施形態のパチンコ遊技機におけるステップアップ予告演出の第７の例を示した図である。
【図１２】遊技制御基板のＣＰＵが実行するタイマ割込処理の一例を示したフローチャートである。
【図１３】遊技制御基板のＣＰＵが実行する始動口ＳＷ処理の一例を示したフローチャートである。
【図１４】遊技制御基板のＣＰＵが実行するゲートＳＷ処理の一例を示したフローチャートである。
【図１５】遊技制御基板のＣＰＵが実行する特別図柄処理の一例を示したフローチャートである。
【図１６】遊技制御基板のＣＰＵが実行する大当たり判定処理の一例を示したフローチャートである。
【図１７】遊技制御基板のＣＰＵが実行する変動パターン選択処理の一例を示したフローチャートである。
【図１８】遊技制御基板のＣＰＵが実行する停止中処理の一例を示したフローチャートである。
【図１９】遊技制御基板のＣＰＵが実行する客待ち設定処理の一例を示したフローチャートである。
【図２０】遊技制御基板のＣＰＵが実行する普通図柄処理の一例を示したフローチャートである。
【図２１】遊技制御基板のＣＰＵが実行する大入賞口処理の一例を示したフローチャートである。
【図２２】大入賞装置のラウンド数／開放パターンの設定例を示した図である。
【図２３】遊技制御基板のＣＰＵが実行する遊技状態設定処理の一例を示したフローチャートである。
【図２４】遊技制御基板のＣＰＵが実行する電チュー処理の一例を示したフローチャートである。
【図２５】演出制御基板のＣＰＵが実行するタイマ割込処理の一例を示したフローチャートである。
【図２６】演出制御基板のＣＰＵが実行するコマンド受信処理の一例を示したフローチャートである。
【図２７】演出制御基板のＣＰＵが実行する演出選択処理の一例を示したフローチャートである。
【図２８】演出制御基板のＣＰＵが実行する演出表示中処理の一例を示したフローチャートである。
【図２９】演出制御基板のＣＰＵが実行する演出ボタン処理の一例を示したフローチャートである。
【発明を実施するための形態】
【００１０】
図１は、本発明の実施形態に係るパチンコ遊技機の全体正面図である。
この図１に示すパチンコ遊技機１００は、矩形形状の枠１０１を有し、この枠１０１の窓孔に対して遊技盤１０が着脱可能に取り付けられている。
遊技盤１０の前面側には、ガラス枠が開閉可能に取り付けられている。また遊技盤１０の下方には、遊技球を貯留する受け皿部１０２と、この受け皿部１０２の遊技球を発射する発射ハンドル１０３等が設けられている。
受け皿部１０２の上面には、例えば遊技者自身に操作を行わせて遊技に対する参加感を演出する演出ボタン（操作手段）１０４が設けられている。
また、図示しないが受け皿部１０２の上面には、遊技球の購入ボタン、購入取り消しボタン、受け皿部１０２内の遊技球を下方から外部に抜くための球抜きボタン等が設けられている。また、枠１０１の左右上方には、スピーカ１０５が配置されている。
【００１１】
遊技盤１０の裏面側には主制御基板とサブ制御基板等、遊技の進行、演出に関わる裏部品を組み付けた合成樹脂製の機構板（何れも図示せず）が装着されている。遊技盤１０における遊技領域１０ａの周囲には、外レールＲ１及び内レールＲ２が設けられている。これら外レールＲ１及び内レールＲ２は、発射ハンドル１０３を操作したときに発射装置から発射された遊技球を遊技領域１０ａの上部に案内したり、アウト口１８に案内したりする。
遊技盤１０のほぼ中央には、画像表示装置１１が配置されている。画像表示装置１１は、例えば、液晶表示装置等の液晶表示パネルにより構成され、特別図柄に応じた装飾図柄、例えば数字図柄、アルファベット図柄、キャラクター図柄等の画像が表示される。また、所謂リーチ状態や特別遊技状態の時は、それぞれの遊技状態であることを示す演出画像等も表示される。
画像表示装置１１の下方中央には、第１始動口１３が配置されている。第１始動口１３は、遊技球が入賞したときに、後述する第１特別図柄表示器の第１特別図柄を変動表示させる権利を発生させる。このため、第１始動口１３の内部には、遊技球の入球を検出する第１始動口スイッチ（ＳＷ）が設けられている。
【００１２】
また遊技盤１０の右側領域であって、画像表示装置１１の右側下方には、変動入賞装置として、左右一対の開閉爪（可動片）を有する電動式チューリップ（以下、「電チュー」と称する）１４が配置されている。電チュー１４は、第２始動口として機能しており、遊技球が入賞したときに、後述する第２特別図柄表示器２２の第２特別図柄を変動表示させる権利を発生させる。このため、電チュー１４の内部には、遊技球の入球を検出する第２始動口スイッチ（ＳＷ）が設けられている。
電チュー１４は、後述する普通図柄表示器２３の普通図柄が所定態様で停止したときに所定時間、開成動作するように構成されている。
【００１３】
また遊技盤１０の右側領域であって、電チュー１４の右側には、普通図柄表示器を作動させるためのゲート１５が設けられている。ゲート１５は、その内部にゲートスイッチ（ＳＷ）が設けられている。
更に遊技盤１０の右側領域であって、電チュー１４の下方には、特別遊技状態のときに開成状態になる大入賞装置の大入賞口１６が配置されている。
【００１４】
更に、遊技盤１０の遊技領域１０ａには、一般入賞口１７が配置されていると共に、風車や図示しない多数の遊技釘が突設されている。遊技釘は、遊技球の落下速度を遅くすると共に、落下方向を複雑に変化させて遊技進行上の興趣を高めている。
【００１５】
図２は、本実施形態のパチンコ遊技機に備えられている演出ボタンの構成を示した図である。
この図２に示すように、本実施形態のパチンコ遊技機１００は、演出ボタン１０４としてチャンスボタン（図２においては「ＣＨＡＮＣＥ」と表記）１９と、十字キー２０とを備えている。チャンスボタン１９は、凸状ボタンにより構成される。また十字キー２０は、画像表示装置１１に表示される文字や図形などを指し示す位置を変更するカーソルキー３０１〜３０４と、カーソルキー３０１〜３０４の操作によって選択された文字や図形などを確定する「ＥＮＴＥＲ」キー３０５とを備えている。なお、チャンスボタン１９は、凸状ボタンの他、タッチパネル方式を採用した入力パッドなどであってもよい。
【００１６】
図３は、本実施形態のパチンコ遊技機の遊技制御を行う遊技制御装置の構成を示したブロック図である。
この図３に示す遊技制御装置には、遊技の進行を制御する主制御基板として遊技制御基板１１１が設けられている。また副制御基板として、演出制御基板１２１、画像制御基板１３１、ランプ制御基板１４１、払出制御基板１５１等が設けられている。
遊技制御基板１１１は、ＣＰＵ１１２、ＲＯＭ１１３、及びＲＡＭ１１４等を有し、当該パチンコ遊技機の主たる制御を行う。
遊技制御基板１１１には、第１始動口１３内に設けられた第１始動口ＳＷ１３ａ、電チュー１４内に設けられた第２始動口ＳＷ１４ａ、電チュー１４を開閉動作させるための電チューソレノイド（ＳＯＬ）１４ｂ、ゲート１５内に設けられたゲートＳＷ１５ａ、大入賞口１６に入賞した遊技球を検出する大入賞口ＳＷ１６ａ、大入賞口１６の開閉扉を開閉動作させるための大入賞口ソレノイド（ＳＯＬ）１６ｂ、普通入賞口ＳＷ１７ａが接続されている。
【００１７】
また遊技制御基板１１１には、第１特別図柄の変動と表示を行う第１特別図柄表示器２１、第２特別図柄の変動と表示を行う第２特別図柄表示器２２、普通図柄の変動と表示を行う普通図柄表示器２３が接続されている。
第１特別図柄表示器２１及び第２特別図柄表示器２２は、特別図柄を変動表示させ所定時間経過後に当該変動表示を停止させることにより特別図柄が当たりに当選したか否か表示する。また、普通図柄表示器２３は、遊技球がゲートＳＷ１５ａを通過したときに、普通図柄を変動表示させ所定時間経過後に当該変動表示を停止させることにより普通図柄が当たりに当選したか否か表示する。
【００１８】
更に遊技制御基板１１１には、第１特別図柄の変動表示を開始させる権利（保留球）の保留個数を表示する第１特別図柄保留ランプ２４、第２特別図柄の変動表示を開始させる権利の保留個数を表示する第２特別図柄保留ランプ２５、普通図柄が変動中に遊技球がゲート１５を通過したときに、ゲート１５の通過によって得られる普通図柄の変動表示を開始させる権利（最大４個）の保留個数を表示する普通図柄保留ランプ２６等が接続されている。
本実施形態のパチンコ遊技機１００では、第１特別図柄の保留球と第２特別図柄の保留球とが共に保留されている場合は、第２特別図柄の保留球を優先的に消化するように構成されている。勿論、第１特別図柄と第２特別図柄の保留球を入賞順に消化するように構成してもよい。
更に遊技制御基板１１１には、演出制御基板１２１、払出制御基板１５１、及び盤用外部情報端子基板１６０等が接続されている。
【００１９】
演出制御基板１２１は、ＣＰＵ１２２、ＲＯＭ１２３、ＲＡＭ１２４、ＲＴＣ（リアルタイムクロック）１２５等を有し、遊技演出全体の制御を行う。
演出制御基板１２１には、画像及び音声の制御を行う画像制御基板１３１、各種ランプ及び演出役物の制御を行うランプ制御基板１４１、及び演出ボタン１０４が接続されている。
画像制御基板１３１は、ＣＰＵ１３２、ＲＯＭ１３３、ＲＡＭ１３４等を有し、演出制御基板１２１の指示に基づいて、画像及び音声の制御を行う。画像制御基板１３１には、画像表示装置１１及びスピーカ１０５が接続されている。
ランプ制御基板１４１は、ＣＰＵ１４２、ＲＯＭ１４３、ＲＡＭ１４４等を有し、枠ランプ１４５や盤ランプ１４６、演出役物１４７等の制御を行う。
払出制御基板１５１は、ＣＰＵ１５２、ＲＯＭ１５３、ＲＡＭ１５４等を有し、遊技球払出装置の払出モータ１５５、払出球検出ＳＷ１５６、球有り検出ＳＷ１５７、満タン検出ＳＷ１５８等の制御を行う。また払出制御基板１５１には、枠用外部情報端子基板１７０と遊技球発射装置を構成する発射制御基板１８０が接続されている。
盤用外部情報端子基板１６０は、遊技盤の各種情報を外部に出力するための端子基板である。また枠用外部情報端子基板１７０は、枠の各種情報を外部に出力するための端子基板である。
発射制御基板１８０には、発射ハンドル１０３、球送りソレノイド１８６、発射ソレノイド１８８が接続されている。
【００２０】
図４は、本実施形態のパチンコ遊技機において各種乱数が取得される乱数テーブルの説明図であり、（ａ）は大当たり乱数テーブル、（ｂ）は大当たり図柄乱数テーブル、（ｃ）はリーチ乱数テーブル、（ｄ）は当たり乱数テーブルの一例をそれぞれ示した図である。
本実施形態においては、図４（ａ）に示す大当たり乱数テーブルにより取得される大当たり乱数と、図４（ｂ）に示す大当たり図柄乱数テーブルにより取得される大当たり図柄乱数とにより特別図柄が構成される。図４（ｄ）に示す当たり乱数テーブルにより取得される普通図柄乱数により普通図柄が構成される。
【００２１】
図４（ａ）に示す大当たり乱数テーブルでは、始動口入賞時、例えば「０」〜「２９９」までの３００個の乱数の中から一つの乱数値が取得される。
図４（ａ）に示す大当たり乱数テーブルの場合、低確率遊技状態（通常遊技状態）では、大当たりの割合が、例えば１／３００に設定され、取得した大当たり乱数値が「３」のときに大当たりと判定される。
一方、高確率遊技状態では、大当たりの割合が低確率遊技状態の１０倍の１０／３００に設定され、取得した大当たり乱数値が「３」，「７」，「３７」，「６７」，「９７」，「１２７」，「１５７」，「１８７」，「２１７」，「２４７」のときに大当たりと判定される。
更に、大当たり乱数テーブルでは、ハズレの一種である小当たりの抽選も行っている。図４（ａ）に示す例では、小当たりの割合が３／３００に設定され、取得した大当たり乱数値が「１５０」，「２００」，「２５０」のときに小当たりと判定される。
【００２２】
次に、図４（ｂ）に示す大当たり図柄乱数テーブルでは、「０」〜「２４９」までの２５０個の乱数の中から一つの乱数値が取得される。そして、取得した大当たり図柄乱数に基づいて、複数種類の大当たりの中から何れか１つの大当たりを決定する。
本実施形態では、複数種類の大当たりとして、通常時短付き長当たり、通常時短付き短当たり、高確率時短付き長当たり、高確率時短付き短当たり、高確率時短無し短当たりの５つの大当たりが用意されている。
【００２３】
通常時短付き長当たりは、大当たり遊技時における大入賞口１６の開放時間が長く大量の出球の払い出しが期待できると共に、大当たり遊技終了後、特別図柄が所定回数（例えば１００回）変動するまでの期間、時短遊技を付与する大当たりであり、従来の「通常大当たり」に相当する。
通常時短付き短当たりは、大当たり遊技時における大入賞口１６の開放時間が短く出球の払い出しは期待できないものの、大当たり遊技終了後、特別図柄が所定回数（例えば１００回）変動するまでの期間、時短遊技を付与する大当たりであり、従来の「突時大当たり」に相当する。
【００２４】
高確率時短付き長当たりは、大当たり遊技時における大入賞口１６の開放時間が長く大量の出球の払い出しが期待できると共に、大当たり遊技終了後に高確率遊技と時短遊技の両方を付与する大当たりであり、従来の「確変大当たり」に相当する。
高確率時短付き短当たりは、大当たり遊技時における大入賞口１６の開放時間が短く出球の払い出しは期待できないものの、大当たり遊技終了後に高確率遊技と時短遊技の両方を付与する大当たりであり、従来の「突確大当たり」に相当する。
高確率時短無し短当たりは、大当たり遊技時における大入賞口１６の開放時間が短く出球の払い出しは期待できないものの、大当たり遊技終了後に高確率遊技を付与する大当たりであり、「潜伏確変大当たり」に相当する。
【００２５】
また、本実施形態のパチンコ遊技機１００では、第１始動口１３に遊技球が入球した場合と、第２始動口である電チュー１４に遊技球が入球した場合では、一部の種類の大当たりについては選択される割合が異なるように構成されている。
例えば、通常時短付き長当たりと通常時短付き短当たりが選択される割合は、遊技球が第１始動口１３に入賞した場合と電チュー１４に入賞した場合で同一であり、通常時短付き長当たり選択される割合は、第１始動口１３に遊技球が入賞した場合と電チュー１４に遊技球が入賞した場合のいずれも３５／２５０とされる。同様に通常時短付き短当たりが選択される割合は、第１始動口１３に遊技球が入賞した場合と電チュー１４に遊技球が入賞した場合のいずれも１５／２５０とされる。
具体的には、図４（ｂ）に示すように、第１始動口又は電チュー入賞時に取得された大当たり図柄乱数が「０」〜「３４」であれば、通常時短付き長当たりが選択され、「３５」〜「４９」であれば、通常時短付き短当たりが選択される。
【００２６】
一方、高確率時短付き長当たり及び高確率時短付き短当たりが選択される割合は、遊技球が第１始動口１３に入賞した場合と、電チュー１４に入賞した場合で異なり、例えば高確率時短付き長当たりが選択される割合は、第１始動口１３に遊技球が入賞した場合は２５／２５０、電チュー１４に遊技球が入賞した場合は１７５／２５０とされる。
また、高確率時短付き短当たりが選択される割合は、第１始動口１３に遊技球が入賞した場合は７５／２５０、電チュー１４に遊技球が入賞した場合は２５／２５０とされる。
また、高確率時短無し短当たりが選択される割合は、第１始動口１３に遊技球が入賞した場合のみ１００／２５０とされる。
具体的には、遊技球が第１始動口入賞時に取得された大当たり図柄乱数が「５０」〜「７４」であれば、高確率時短付き長当たりが選択され、「７５」〜「１４９」であれば、高確率時短付き短当たりが選択され、「１５０」〜「２４９」であれば、高確率時短無し短当たりが選択される。
これに対して、遊技球が電チュー入賞時に取得された大当たり図柄乱数が「５０」〜「２２４」であれば、高確率時短付き長当たりが選択され、「２２５」〜「２４９」であれば、高確率時短付き短当たりが選択される。
【００２７】
第１始動口入賞時と電チュー入賞時において選択される大当たり種類を比較すると、第１始動口入賞時は、高確率時短付き長当たりの割合が２５／２５０であるのに対して、電チュー入賞時は、高確率時短付き長当たりの割合が１７５／２５０であり、電チュー入賞時のほうが、高確率時短付き長当たりが選択される割合が高くなっている。
このように構成すると、電チューへの遊技球の入賞率が高くなる遊技状態に移行したときは、高確率時短付き長当たりに連続して当選する確率が高くなるため、多量の出球の獲得が期待できメリハリがある遊技を実現することができる。
【００２８】
また第１始動口入賞時は、高確率時短無し短当たりの割合が１００／２５０であるのに対して、電チュー入賞時は、高確率時短無し短当たりが選択されないようになっている。これは、電チューに遊技球が入賞するのは、遊技状態が遊技者とって有利な時短遊技状態のときが主であり、この時短遊技状態のときに、例えば高確率時短無し短当たりが選択された場合は、時短遊技が終了し、遊技者にとって不利な遊技状態に移行してしまうことになる。つまり、大当たりに当選したにも関わらず、時短有り遊技状態から時短無し遊技状態という遊技者にとって不利益となる遊技状態に移行してしまうことになる。このため、電チュー入賞時は、高確率時短無し短当たりを選択しないようにすることで、遊技者に不利な遊技状態に移行するのを防止している。
【００２９】
また、図４（ｃ）に示すリーチ乱数テーブルでは、始動入賞時、「０」〜「２４９」までの２５０個の乱数の中から一つの乱数値を取得し、取得したリーチ乱数値が「０」〜「２１」のときにリーチ有り、取得したリーチ乱数値が「２２」〜「２４９」のときにリーチ無しと判定する。
【００３０】
また、図４（ｄ）に示す普通図柄の当たり乱数を抽選する当たり乱数テーブルでは、遊技球がゲート通過時、「０」〜「９」までの１０個の乱数の中から一つの乱数値が取得される。
そして、時短フラグと高確フラグが共にＯＦＦとなる低確率遊技状態又は時短フラグがＯＦＦで高確フラグがＯＮとなる高確率時短無し遊技状態のときは取得した当たり乱数が「７」のときのみ当たりと判定する。
一方、時短フラグがＯＮ、高確フラグがＯＦＦとなる低確率時短遊技状態、又は時短フラグと高確フラグが共にＯＮとなる高確率時短遊技状態のときは、取得した当たり乱数が「０」〜「９」のときに当たりと判定する。
【００３１】
このように構成される本実施形態のパチンコ遊技機１００では、遊技制御基板１１１において、上始動口１３又は電チュー１４への遊技球が入賞を契機に、大当たり乱数、大当たり図柄乱数、リーチ乱数等の遊技データの抽選を行う。そして、大当たり又は小当たりに当選したと判定した場合は、第１又は第２特別図柄表示器２１，２２の特別図柄を特定の当たり図柄で停止表示することにより、上記した長当たり、短当たり、或いは小当たりの何れかの当り遊技を実行するようにしている。
更に、遊技制御基板１１１は、遊技データとして、上記した大当たり乱数、大当たり図柄乱数、リーチ乱数の抽選と同時に特別図柄の変動時間を決定する変動パターン乱数の抽選も行う。そして、抽選により取得した変動パターン乱数に基づいて、第１又は第２特別図柄表示器２１，２２に変動表示させる特別図柄の変動時間を設定するようにしている。
また更に、遊技制御基板１１１は、大当たり情報、大当たり図柄情報、リーチ情報、及び変動パターン情報などを含んだ変動開始コマンドを、所定のタイミングで演出制御基板１２１に送信するようにしている。
【００３２】
一方、演出制御基板１２１は、上記遊技制御基板１１１からの変動開始コマンドを受信したときに、受信した変動開始コマンドの解析を行う。そして、その解析結果に基づいて、遊技演出の演出時間を設定するための変動演出パターンを選択すると共に、その変動演出パターンに対応した遊技演出を抽選により決定し、決定した遊技演出を実行するための変動演出開始コマンドをセットする。
これにより、画像制御基板１３１が変動演出開始コマンドに応じた演出画像や図柄画像を画像表示装置１１に表示する表示制御を実行すると共に、ランプ制御基板１４１が変動演出開始コマンドに応じた枠ランプ１４５、盤ランプ１４６、演出役物１４７等の制御を実行する。
【００３３】
また、演出制御基板１２１は、遊技制御基板１１１からの変動開始コマンドに基づいて決定する変動演出パターンと、その変動演出パターンに対応した演出抽選の結果、遊技者に大当たりの期待度を示唆する予告演出として、複数枚のウインドウ画面を段階的に進展させるステップアップ予告演出を画像表示装置１１に表示する表示制御が実行可能とされる。そのうえで、本実施形態のパチンコ遊技機１００では、ステップアップ予告演出におけるウインドウ画面を次のように構成した点に特徴がある。
【００３４】
図５は、本実施形態のパチンコ遊技機１００におけるステップアップ予告演出の一例を示した図である。
本実施形態では、ステップアップ予告演出が選択された場合、画像表示装置１１には、図５（ａ）に示すように、表示画面１１ａの略中央に１枚目のウインドウ画面４１が表示される。この１枚目のウインドウ画面４１は、ウインドウ画面の中で大当たり期待度が最も低いウインドウ画面とされる。
そして、本実施形態では、当該ステップアップ予告における１枚目のウインドウ画面４１を表示している状態のもとで、当該ステップアップ予告演出において進展可能な全てのウインドウ画面を表示するようにしている。例えば、図５（ａ）には、進展可能なウインドウ画面として３枚のウインドウ画面４２〜４４が表示されている。
【００３５】
この場合は、図５（ａ）に示すように１枚目のウインドウ画面４１が表示されている状態のもとで、図５（ｂ）に示すように１枚目のウインドウ画面４１より大当たり期待度が高い２枚目のウインドウ画面４２を表示画面１１ａに表示する。次に、図５（ｃ）に示すように２枚目のウインドウ画面４２より大当たり期待度が高い３枚目のウインドウ画面４３を表示画面１１ａに表示し、さらに図５（ｄ）に示すように３枚目のウインドウ画面４３より大当たり期待度がさらに高い４枚目のウインドウ画面４４を順々に表示画面１１ａに表示するというステップアップ予告演出を行うようにする。
【００３６】
このように構成される本実施形態のステップアップ予告演出では、画像表示装置１１の表示画面１１ａに１枚目のウインドウ画面４１が表示された時点で、ステップアップする可能性のあるウインドウ画面４２〜４４が全て表示されるので、１枚目のウインドウ画面４１を表示した時点で遊技者に有利な大当たりの期待感を示唆することが可能になる。
なお、本実施形態では、１枚目のウインドウ画面４１を表示したときに２枚目〜４枚目のウインドウ画面４２〜４４を表示し、最終的には４枚目のウインドウ画面４４までステップアップする場合を例に挙げて説明したが、これはあくまでも一例であり、必ずしも４枚目のウインドウ画面４４までステップアップする必要は無い。
【００３７】
図６は、本実施形態のパチンコ遊技機１００におけるステップアップ予告演出の第２の例を示した図である。なお、図５と同一部位には同一番号を付して説明は省略する。
図６（ａ）〜（ｄ）に示すステップアップ予告演出では、当該ステップアップ予告における１枚目のウインドウ画面４１を表示している状態のもとで、当該ステップアップ予告演出において進展可能な全てのウインドウ画面を表示したうえで、進展する可能性が高いウインドウ画面（この例ではウインドウ画面４４）のウインドウ枠を、他のウインドウ画面４１〜４３のウインドウ枠とは異なる態様により表示するようにしている。ここで、異なる態様とは、例えばウインドウ枠の色や形などが挙げられる。
このように構成した場合は、１枚目のウインドウ画面４１が表示された時点で、さらに遊技者に他のウインドウ画面とは表示態様の異なるウインドウ画面４４までステップアップする可能性が高い旨を示唆することが可能になるので、ステップアップ予告演出の興趣をより高めることができる。
【００３８】
図７は、本実施形態のパチンコ遊技機１００におけるステップアップ予告演出の第３の例を示した図である。なお、図５と同一部位には同一番号を付して説明は省略する。
図７（ａ）〜（ｄ）に示すステップアップ予告演出では、ウインドウ画面４１〜４４毎にウインドウ枠の色や模様といったウインドウ枠の色彩が異なる構成となっている。
このように構成した場合も、１枚目のウインドウ画面４１が表示された時点で、ウインドウ画面４１〜４４のステップが進展するに従って大当たり期待度がより高いことを遊技者により印象づけることができるので、当該ステップアップ予告演出の興趣をより高めることが可能になる。
【００３９】
図８は、本実施形態のパチンコ遊技機１００におけるステップアップ予告演出の第４の例を示した図である。なお、図５と同一部位には同一番号を付して説明は省略する。
図８（ａ）〜（ｄ）に示すステップアップ予告演出では、ウインドウ画面４１〜４４毎にウインドウサイズは、ウインドウ画面が進展するに従って大きくなっている。
このように構成した場合も、１枚目のウインドウ画面４１が表示された時点で、遊技者に有利な大当たりの期待感を示唆するだけでなく、ウインドウ画面４１〜４４のステップが進展するに従って大当たり期待度がより高いことを遊技者により印象づけることができるので、当該ステップアップ予告演出の興趣ををより高めることが可能になる。
【００４０】
図９は、本実施形態のパチンコ遊技機１００におけるステップアップ予告演出の第５の例を示した図である。なお、図５と同一部位には同一番号を付して説明は省略する。
図９（ａ）〜（ｄ）に示すステップアップ予告演出では、１枚目のウインドウ画面４１を表示している状態のもとで、当該ステップアップ予告演出において進展可能な全てのウインドウ画面を表示する際は、ウインドウ画面４１〜４４の表示態様が同じであるものの、図９（ｂ）→（ｃ）→（ｄ）の順にステップが進展するにしたがってウインドウ画面４１〜４４のウインドウ枠の表示態様が変化する構成となっている。
このように構成した場合は、１枚目のウインドウ画面４１を表示した時点で、遊技者に有利な大当たりの期待感を示唆することが可能になるだけでなく、ウインドウ画面４１〜４４のステップが進展するに従って大当たり期待度がより高いことを遊技者により印象づけることができるので、当該ステップアップ予告演出の興趣をより一層高めることが可能になる。
【００４１】
図１０は、本実施形態のパチンコ遊技機１００におけるステップアップ予告演出の第６の例を示した図である。なお、図５と同一部位には同一番号を付して説明は省略する。
図１０に示すステップアップ予告演出では、１枚目のウインドウ画面４１を表示している状態のもとで、表示画面１１ａの略中央に１枚目のウインドウ画面４１が表示される。この１枚目のウインドウ画面４１は、複数枚のウインドウ画面の中で大当たり期待度が最も低いウインドウ画面とされる。
【００４２】
この場合は、当該ステップアップ予告演出におけるステップアップルートが４つ用意されており、表示画面１１ａの略中央に表示されているウインドウ画面４１から左方向に第１のステップアップルート、右方向に第２のステップアップルート、上方向に第３のステップアップルート、下方向に第４のステップアップルートが夫々表示されている。
第１のステップアップルートには、進展可能なウインドウ画面として３枚のウインドウ画面４２ａ〜４４ａが表示されている。同様に、第２のステップアップルートには、進展可能なウインドウ画面として３枚のウインドウ画面４２ｂ〜４４ｂ、第３のステップアップルートには、進展可能なウインドウ画面として３枚のウインドウ画面４２ｃ〜４４ｃ、第４のステップアップルートには、進展可能なウインドウ画面として３枚のウインドウ画面４２ｄ〜４４ｄがそれぞれ表示されている。
【００４３】
さらにこの場合は、第１〜第４のステップアップルートごとに、最終ステップのウインドウ画面４４ａ〜４４ｄのウインドウ枠の表示態様が異なっており、各ステップアップルートごとに大当たりの期待度が異なっている。
このように構成した場合も、１枚目のウインドウ画面４１を表示した時点で、遊技者に有利な大当たりの期待感を示唆することが可能になるだけでなく、当該ステップアップ予告演出の興趣をより一層高めることが可能になる。
【００４４】
図１１は、本実施形態のパチンコ遊技機１００におけるステップアップ予告演出の第７の例を示した図である。なお、図１０と同一部位には同一番号を付して説明は省略する。図１１に示すステップアップ予告演出では、遊技者が第１〜第４のステップアップルートのいずれかを選択可能な構成となっている。このため、画像表示装置１１の表示画面１１ａには、カーソルキー３０１〜３０４の操作を促すカーソルキー画像５１を表示するようにしている。
ここで、遊技者が実際にカーソルキー３０１〜３０４の何れかを操作すると、操作されたカーソルキーの方向に対応したステップアップルートが選択される。
このように構成した場合も、１枚目のウインドウ画面４１を表示した時点で、遊技者に有利な大当たりの期待感を示唆することが可能になるだけでなく、遊技者がステップアップルートを選択することができるので、当該ステップアップ予告演出の興趣をより一層高めることが可能になる。
【００４５】
なお、本実施形態では、ステップアップ予告演出におけるステップ数が４ステップの場合を例に挙げて説明したが、これはあくまでも一例であり、ステップ数は任意に設定可能であり、ステップ数は多ければ多いほど演出のバリエーションを増やすことができる。また逆にステップ数を少なくすればステップアップ予告演出に使用するメモリ量を減らすことができる。
【００４６】
以下、本実施形態のパチンコ遊技機の動作を実現するために遊技制御装置が実行する処理について説明する。なお、以下に説明する処理は、遊技制御基板１１１のＣＰＵ１１２がＲＯＭ１１３に格納されているプログラムを実行することにより実現することができる。
【００４７】
先ず、遊技制御基板１１１が実行する処理について説明する。
［タイマ割込処理］
図１２は、遊技制御基板のＣＰＵが実行するタイマ割込処理の一例を示したフローチャートである。
ＣＰＵ１１２は、タイマ割込処理として、乱数更新処理（Ｓ１０）、スイッチ処理（Ｓ２０）、図柄処理（Ｓ３０）、電動役物処理（Ｓ４０）、賞球処理（Ｓ５０）、出力処理（Ｓ６０）等を実行する。
【００４８】
次に、上記タイマ割込処理として実行される各種処理について説明する。
［始動口ＳＷ処理］
図１３は、遊技制御基板のＣＰＵが実行する始動口ＳＷ処理の一例を示したフローチャートである。この場合、ＣＰＵ１１２は、第１始動口１３の第１始動口ＳＷ１３ａがオンであるか否かの判別を行い（Ｓ２０１）、第１始動口ＳＷ１３ａがオンであると判別した場合は、第１始動口ＳＷ１３ａの保留個数Ｕ１が「４」より少ないか否かの判別を行う（Ｓ２０２）。
ここで、保留個数Ｕ１が「４」より少ないと判別した場合は、保留個数Ｕ１に「１」を加算する（Ｓ２０３）。この後、特別図柄用の大当たり乱数、大当たり図柄乱数、及びリーチ乱数等を取得してＲＡＭ１１４に格納する（Ｓ２０４）。次いで、第１特別図柄保留ランプ２４の保留数を増加するために第１保留数増加コマンドをセットする（Ｓ２０５）。なお、ステップＳ２０２において、否定結果が得られた場合、つまり保留個数Ｕ１が最大保留可能個数である「４」と判別した場合は、ステップＳ２０３〜Ｓ２０５の処理をスキップしてステップＳ２０６に進む。
【００４９】
次に、ＣＰＵ１１２は、電チュー１４の第２始動口ＳＷ１４ａがオンであるか否かの判別を行い（Ｓ２０６）、第２始動口ＳＷ１４ａがオンであると判別した場合は、第２始動口ＳＷ１４ａの保留個数Ｕ２が「４」より少ないか否かの判別を行う（Ｓ２０７）。ここで、保留個数Ｕ２が「４」より少ないと判別した場合は、保留個数Ｕ２に「１」を加算する（Ｓ２０８）。この後、特別図柄用の大当たり乱数、大当たり図柄乱数、及びリーチ乱数等を取得してＲＡＭ１１４に格納する（Ｓ２０９）。次いで、第２特別図柄保留ランプ２５の保留数を増加するために第２保留数増加コマンドをセットして（Ｓ２１０）、始動口ＳＷ処理を終了する。
なお、ステップＳ２０７において、否定結果が得られた場合、つまり保留個数Ｕ２が最大保留可能個数である「４」と判別した場合は、始動口ＳＷ処理を終了する。
【００５０】
［ゲートＳＷ処理］
図１４は、遊技制御基板のＣＰＵが実行するゲートＳＷ処理の一例を示したフローチャートである。
ＣＰＵ１１２は、ゲート１５のゲートＳＷ１５ａがオンであるか否かの判別を行い（Ｓ２２１）、ゲートＳＷ１５ａがオンであると判別した場合は、ゲートＳＷ１５ａのゲート通過回数Ｇが「４」より少ないか否かの判別を行う（Ｓ２２２）。ゲート通過回数Ｇが「４」より少ないと判別した場合は、ゲート通過回数Ｇに「１」を加算し（Ｓ２２３）、普通図柄用の当たり乱数を取得してＲＡＭ１１４に格納して（Ｓ２２４）、ゲートＳＷ処理を終了する。
なお、ステップＳ２２１において、ゲートＳＷ１５ａがオンでないと判別した場合、或いはステップＳ２２２において、否定結果が得られた場合、つまりゲート通過回数Ｇが最大保留可能個数である「４」と判別した場合は、ゲートＳＷ処理を終了する。
【００５１】
［特別図柄処理］
図１５は、遊技制御基板のＣＰＵが実行する特別図柄処理の一例を示したフローチャートである。
ＣＰＵ１１２は、大当たり遊技フラグがＯＮであるか否か、つまり大当たり遊技中であるか否かの判別を行い（Ｓ３１１）、大当たり遊技中でないと判別した場合は、第１特別図柄表示器２１又は第２特別図柄表示器２２の特別図柄が変動中であるか否かの判別を行う（Ｓ３１２）。特別図柄が変動中でないと判別した場合は、次に優先的に消化する第２始動口ＳＷ１４ａの保留個数Ｕ２が「１」より多いか否かの判別を行い（Ｓ３１３）、保留個数Ｕ２が「１」より多いと判別した場合は、保留個数Ｕ２を「１」減算する（Ｓ３１４）。
【００５２】
一方、ステップＳ３１３において、保留個数Ｕ２が≧１でないと判別した場合、つまり保留個数Ｕ２が「０」である場合は、次に第１始動口ＳＷ１３ａの保留個数Ｕ１が「１」より多いか否かの判別を行い（Ｓ３１５）、保留個数Ｕ１が「１」より多いと判別した場合は、保留個数Ｕ１を「１」減算する（Ｓ３１６）。
【００５３】
次に、ＣＰＵ１１２は、客待ちフラグがＯＮであればＯＦＦにした後（Ｓ３１７）、後述する大当たり判定処理を実行する（Ｓ３１８）。大当たり判定処理実行後は、後述する変動パターン選択処理を実行する（Ｓ３１９）。変動パターン選択処理実行後は、対応する第１特別図柄表示器２１、又は第２特別図柄表示器２２の図柄変動を開始すると共に、変動開始コマンドをセットする（Ｓ３２０、Ｓ３２１）。
次に、ＣＰＵ１１２は、第１又は第２特別図柄の変動時間が所定の変動時間を経過したか否かの判別を行い（Ｓ３２２）、所定の変動時間を経過したと判別した場合は、第１特別図柄表示器２１又は第２特別図柄表示器２２の変動を停止して所定特別図柄を表示させる（Ｓ３２３）。この後、変動停止コマンドをセットし（Ｓ３２４）、後述する停止中処理（Ｓ３２５）を実行して特別図柄処理を終了する。
【００５４】
なお、ステップＳ３１１において当たり遊技フラグがＯＮであると判別した場合、或いはステップＳ３２２において、特別図柄の変動時間が所定の変動時間に達していないと判別した場合は、特別図柄処理を終了する。
また、ステップＳ３１２において、特別図柄が変動中であると判別した場合は、ステップＳ３２２に進み、特別図柄の変動時間が所定の変動時間を経過したか否かの判別を行う。
また、ステップＳ３１６において、保留個数Ｕ１が≧１でないと判別した場合、つまり保留個数Ｕ１、Ｕ２の保留が無いと判別した場合は、後述する客待ち設定処理に実行して（Ｓ３２６）、特別図柄処理を終了する。
【００５５】
［大当たり判定処理］
図１６は、遊技制御基板のＣＰＵが実行する大当たり判定処理の一例を示したフローチャートである。
ＣＰＵ１１２は、ＲＡＭ１１４に記憶された大当たり乱数の判定を行い（Ｓ３３１）、続くステップＳ３３２において大当たりであるか否かの判別を行う。ここで、大当たりと判別した場合は、ＲＡＭ１１４に記憶された大当たり図柄乱数の判定を行い（Ｓ３３３）、その判定結果に基づいて、第１特別図柄表示器２１又は第２特別図柄表示器２２にセットする大当たり図柄を設定して（Ｓ３３４）、大当たり判定処理を終了する。
一方、ステップＳ３３２において、大当たりでないと判別した場合は、次に大当たり乱数に基づいて小当たりであるか否かの判別を行う（Ｓ３３５）。ここで、小当たりと判別した場合は、第１特別図柄表示器２１又は第２特別図柄表示器２２にセットする小当たり図柄を設定して（Ｓ３３６）、大当たり判定処理を終了する。また、ステップＳ３３５において、小当たりでない判別した場合は、第１特別図柄表示器２１又は第２特別図柄表示器２２にセットするハズレ図柄を設定して（Ｓ３３７）、大当たり判定処理を終了する。
【００５６】
［変動パターン選択処理］
図１７は、遊技制御基板のＣＰＵが実行する変動パターン選択処理の一例を示したフローチャートである。
ＣＰＵ１１２は、大当たり図柄に基づいて大当たりであるか否かの判別を行い（Ｓ３４１）、大当たりであると判別した場合は、大当たり用テーブルをＲＡＭ１１４にセットする（Ｓ３４２）。
一方、ステップＳ３４１において、大当たりでないと判別した場合は、次にリーチ乱数の判定を行い（Ｓ３４３）、リーチであるか否かの判別を行う（Ｓ３４４）。ここで、リーチと判別した場合は、リーチ用テーブルをＲＡＭ１１４にセットする（Ｓ３４５）。また、ステップＳ３４４において、リーチでないと判別した場合は、ハズレ用テーブルをＲＡＭ１１４にセットする（Ｓ３４６）。
次に、ＣＰＵ１１２は、先に取得した変動パターン乱数の判定を行い（Ｓ３４７）、その変動パターン乱数に応じた変動パターンを設定して（Ｓ３４８）、変動パターン選択処理を終了する。
【００５７】
［停止中処理］
図１８は、遊技制御基板のＣＰＵが実行する停止中処理の一例を示したフローチャートである。
ＣＰＵ１１２は、時短フラグがＯＮであるか否かの判別を行い（Ｓ３５１）、時短フラグがＯＮであると判別した場合は、ＲＡＭ１１４に記憶されている時短ゲームの残ゲーム回数Ｊから「１」を減算する（Ｓ３５２）。
次に、ＣＰＵ１１２は、残ゲーム回数Ｊが「０」であるか否かの判別を行い（Ｓ３５３）、残ゲーム回数Ｊが「０」であれば、時短ゲームにおいて特別図柄の変動表示が所定回数（例えば１００回）行われたことを意味するので時短フラグをＯＦＦにする（Ｓ３５４）。なお、ステップＳ３５１において時短フラグがＯＮでないと判別した場合、或いはステップＳ３５３において、残ゲーム回数Ｊが「０」でないと判別した場合は、ステップＳ３５５に移行する。
【００５８】
次に、ＣＰＵ１１２は、高確フラグがＯＮであるか否かの判別を行い（Ｓ３５５）、高確フラグがＯＮであると判別した場合は、ＲＡＭ１１４に記憶されている高確率ゲームの残ゲーム回数Ｘから「１」を減算する（Ｓ３５６）。
次に、ＣＰＵ１１２は、残ゲーム回数Ｘが「０」であるか否かの判別を行い（Ｓ３５７）、残ゲーム回数Ｘが「０」であれば、高確率ゲームにおいて特別図柄の変動表示が所定回数（例えば１００００回）行われたことを意味するので高確フラグをＯＦＦにする（Ｓ３５８）。なお、ステップＳ３５５において、高確フラグがＯＮでないと判別した場合、或いはステップＳ３５７において、残ゲーム回数Ｘが「０」でないと判別した場合は、ステップＳ３５９に移行する。
【００５９】
次に、ＣＰＵ１１２は、第１特別図柄表示器２１又は第２特別図柄表示器２２にセットされた特別図柄により大当たりであるか否かの判別を行い（Ｓ３５９）、大当たりでないと判別した場合は、次にセットされている特別図柄が「小当たり」であるか否かの判別を行う（Ｓ３６０）、ここで、小当たりであると判別した場合は、小当たり遊技フラグをＯＮにする（Ｓ３６１）。この後、大当たりのオープニングを開始すると共に、大当たりオープニングコマンドをセットして（Ｓ３６２、Ｓ３６３）、停止中処理を終了する。
一方、ステップＳ３６０において、小当たりでないと判別した場合は、小当たり遊技フラグをＯＮにすることなく変動停止中処理を終了する。
また、ステップ３５９において、大当たりであると判別した場合は、次に大当たりが長当たりであるか否かの判別を行い（Ｓ３６４）、長当たりであると判別した場合は、長当たり遊技フラグをＯＮにし（Ｓ３６５）、そうでなければ短当たりフラグをＯＮにして（Ｓ３６６）する。この後、時短ゲームの残ゲーム回数Ｊ、及び高確率ゲームの残回数Ｘをそれぞれ「０」をセットして、残ゲーム回数Ｊ／Ｘをリセットした後（Ｓ３６７）、時短フラグと高確フラグをＯＦＦにする（Ｓ３６８）。この後、ステップＳ３６２に進む。
【００６０】
［客待ち設定処理］
図１９は、遊技制御基板のＣＰＵが実行する客待ち設定処理の一例を示したフローチャートである。
ＣＰＵ１１２は、客待ちフラグがＯＮであるか否かの判別を行い（Ｓ３７１）、待ちフラグがＯＮであると判別した場合は、客待ち設定処理を終了する。
一方、ステップＳ３７１において、待ちフラグがＯＮでないと判別した場合は、客待ちコマンドをセットすると共に、客待ちフラグをＯＮにしてから（Ｓ３７２、Ｓ３７３）、客待ち設定処理を終了する。
【００６１】
［普通図柄処理］
図２０は、遊技制御基板のＣＰＵが実行する普通図柄処理の一例を示したフローチャートである。
ＣＰＵ１１２は、補助遊技フラグがＯＮであるか否の判別を行い（Ｓ３８１）、補助遊技フラグがＯＮであると判別した場合は普通図柄処理を終了する。
一方、ステップＳ３８１において、補助遊技フラグがＯＮでないと判別した場合は、普通図柄が変動中であるか否かの判別を行う（Ｓ３８２）。ここで、普通図柄が変動中でないと判別した場合は、ゲートＳＷ１５ａのゲート通過回数Ｇが「１」より多いか否かの判別を行い（Ｓ３８３）、ゲート通過回数Ｇが「１」より多い場合は、ゲート通過回数Ｇを「１」減算し（Ｓ３８４）、ゲート通過回数Ｇが「１」より多くないと判別した場合、つまり「０」の場合は、普通図柄処理を終了する。
次に、ＣＰＵ１１２は、普通図柄の当たり乱数の判定を行い（Ｓ３８５）、普通図柄表示器２３に停止表示する停止図柄と変動時間を設定する（Ｓ３８６、Ｓ３８７）。
ここで、変動時間は、例えば時短フラグがＯＦＦであれば４．０秒、時短フラグがＯＮであれば、１．５秒に設定することが考えられる。
【００６２】
次に、ＣＰＵ１１２は、普通図柄の変動時間が所定時間経過したか否かの判別を行い（Ｓ３８９）、所定の変動時間を経過したと判別した場合は変動を停止し（Ｓ３９０）、普通図柄の変動時間が所定時間経過していないと判別した場合は、普通図柄処理を終了する。
次に、普通図柄が当たり図柄であるか否かの判別を行い（Ｓ３９１）、普通図柄が当たり図柄である場合は、補助遊技フラグをＯＮにして（Ｓ３９２）、普通図柄処理を終了する。なお、ステップＳ３９１において、停止図柄が当たり図柄でない場合は、補助遊技フラグをＯＮにすることなく、普通図柄処理を終了する。
なお、ステップＳ３８２において、普通図柄が変動中であると判別した場合は、ステップＳ３８９に進み、普通図柄の変動時間が所定の変動時間を経過したか否かの判別を行う。
【００６３】
［大入賞口処理］
図２１は、遊技制御基板のＣＰＵが実行する大入賞口処理の一例を示したフローチャートである。
ＣＰＵ１１２は、大当たり遊技フラグがＯＮであるか否かの判別を行い（Ｓ４１１）、大当たり遊技フラグがＯＮであると判別した場合は、オープニング中であるか否かの判別を行う（Ｓ４１２）。大当たりのオープニング中であると判別した場合は、次にオープニング時間を経過したか否かの判別を行う（Ｓ４１３）。オープニング時間を経過したと判別した場合は、ラウンド回数Ｒの値に「０」をセットする共に、ラウンド回数（Ｒ数）／作動パターンの設定を行う（Ｓ４１４）。
【００６４】
図２２は、ラウンド回数／作動パターンの設定例を示した図であり、大当たりが長当たりであった場合は、ラウンド数（Ｒ数）を１５Ｒ、１Ｒ中の作動パターンが２９．５秒開放×１回に設定する。また大当たりが短当たりであった場合は、ラウンド数（Ｒ数）を１５Ｒ、１Ｒ中の作動パターンが０．１秒開放×１回に設定する、更に、小当たりであった場合は、上記短当たりと同様、ラウンド数（Ｒ数）を１５Ｒ、１Ｒ中の作動パターンが０．１秒開放×１回に設定する。
【００６５】
次に、ＣＰＵ１１２は、大入賞口１６への１ラウンドあたりの入賞個数を示す個数カウンタＣに「０」をセットすると共に、ラウンド回数Ｒの値に「１」を加算する（Ｓ４１５，Ｓ４１６）。この後、大入賞口１６の作動を開始する。つまり、大入賞口１６を閉状態から開状態にする（Ｓ４１７）。
次にＣＰＵ１１２は、大入賞口１６の作動時間が所定の作動時間を経過したか否かの判別を行い（Ｓ４１８）、作動時間が所定時間を経過していないと判別した場合は、次に個数カウンタＣの値が規定個数に達したか否かの判別を行う（Ｓ４１９）。
ここで、個数カウンタＣの値が規定個数Ｃであると判別した場合は、大入賞口１６の作動を終了する。つまり、大入賞口１６を開状態から閉状態にする（Ｓ４２０）。
一方、個数カウンタＣの値が規定個数に達していないと判別した場合は、大入賞口処理を終了する。
また、ステップＳ４１８において、大入賞口１６の作動時間が所定の作動時間を経過していた場合は、ステップＳ４１９の処理をスキップして、個数カウンタＣの個数をチェックすることなく大入賞口１６の作動を終了する（Ｓ４２０）。
【００６６】
次に、ＣＰＵ１１２は、大当たりラウンド回数が最大ラウンド回数Ｒであるか否かの判別を行う。つまり、大当たりラウンドが最終ラウンドであるか否かの判別を行う（Ｓ４２１）。
ここで、大当たりラウンドが最終ラウンドであると判別した場合は、エンディングを開始すると共に、エンディングコマンドをセットする（Ｓ４２２，Ｓ４２３）。
次いで、ＣＰＵ１１２は、ラウンド回数Ｒの値を「０」にセットする（Ｓ４２４）。この後、エンディング時間が経過したか否かの判別を行い（Ｓ４２５）、エンディング時間を経過したと判別した場合は、後述する遊技状態設定処理を実行し（Ｓ４２６）、大当たりフラグをＯＦＦにして（Ｓ４２７）、大入賞口処理を終了する。
【００６７】
また、ステップＳ４１２において、大当たりのオープニング中でないと判別した場合は、エンディング中であるか否かの判別を行い（Ｓ４２８）、エンディング中であると判別した場合は、ステップＳ４２５に進み、エンディング中でないと判別した場合は、大入賞口が作動中であるか否かの判別を行う（Ｓ４２９）。
ここで、大入賞口１６が作動中であると判別した場合は、ステップＳ４１８に移行し、大入賞口１６が作動中でないと判別した場合はステップＳ４１５に移行する。
また、ステップＳ４１３において、オープニング時間を経過していないと判別した場合、ステップＳ４１９において、個数カウンタＣの値が規定個数に達していないと判別した場合、ステップＳ４２１において、大当たりラウンドが最終ラウンドでないと判別した場合、或いはステップＳ４２５において、エンディング時間を経過していないと判別した場合は、大入賞口処理を終了する。
【００６８】
［遊技状態設定処理］
図２３は、遊技制御基板のＣＰＵが実行する遊技状態設定処理の一例を示したフローチャートである。
ＣＰＵ１１２は、先ず、小当たりであるか否かの判別を行い（Ｓ４３１）、小当たりであると判別した場合は遊技状態設定処理を終了する。
一方、ステップＳ４３１において、小当たりでないと判別した場合は、次に通常当たり（低確率時短付き長当たり又は低確率時短付き短当たり）であるか否かの判別を行い（Ｓ４３２）、通常当たりであると判別した場合は、時短フラグをＯＮにすると共に、時短ゲームの残ゲーム回数Ｊに例えば「１００」をセットして（Ｓ４３３、Ｓ４３４）、遊技状態設定処理を終了する。
また、ステップＳ４３２において、通常当たりでないと判別した場合は、高確率遊技を付与する大当たりであるので、高確フラグをＯＮにすると共に、高確ゲームの残ゲーム回数Ｘに例えば「１００００」をセットする（Ｓ４３５、Ｓ４３６）。
次に、当たりが時短付き当たりであるか否かの判別を行い（Ｓ４３７）、時短付き当たりであると判別した場合は、時短フラグをＯＮにすると共に、時短ゲームの残ゲーム回数Ｊに例えば「１００００」をセットして（Ｓ４３８、Ｓ４３９）、遊技状態設定処理を終了する。一方、ステップＳ４３７において、時短付き当たりでないと判別した場合、時短フラグをＯＦＦにすると共に、時短ゲームの残ゲーム回数Ｊをリセットして（Ｓ４４０、Ｓ４４１）、遊技状態設定処理を終了する。
【００６９】
［電チュー処理］
図２４は、遊技制御基板のＣＰＵが実行する電チュー処理の一例を示したフローチャートである。
ＣＰＵ１１２は、補助遊技フラグがＯＮであるか否かの判別を行い（Ｓ５１１）、補助遊技フラグがＯＮであると判別した場合は、次に電チュー１４が作動中であるか否かの判定を行う（Ｓ５１２）。ここで、電チュー１４が作動中でなければ、遊技状態に応じて、電チュー１４の作動パターンを設定し（Ｓ５１３）、電チュー１４の作動を開始する（Ｓ５１４）。
次に、ＣＰＵ１１２は、電チュー１４の作動時間が所定の作動時間を経過したか否かの判別を行い（Ｓ５１５）、電チュー１４の作動時間が経過したと判別した場合は、補助遊技フラグをＯＦＦにして（Ｓ５１６）、電チュー処理を終了する。
ここで、設定する電チュー１４の作動時間は、例えば時短フラグがＯＦＦであれば、０．１５秒開放×１回、時短フラグがＯＮであれば、１．８０秒開放×３回に設定することが考えられる。なお、ステップＳ５１２において、電チュー１４が作動中であると判別した場合は、ステップＳ５１５に移行する。また、ステップＳ５１１において、補助遊技フラグがＯＮでないと判別した場合、或いはステップＳ５１５において、電チュー１４の作動時間が経過していないと判別した場合、電チュー処理を終了する。
【００７０】
次に、演出制御基板１２１が実行する処理について説明する。
［タイマ割込処理］
図２５は、演出制御基板のＣＰＵが実行するタイマ割込み処理の一例を示したフローチャートである。なお、図２５に示すタイマ割込み処理は、演出制御基板１２１のＣＰＵ１２２がＲＯＭ１２３に格納されているプログラムを実行することにより実現できる。
この場合、演出制御基板１２１のＣＰＵ１２２は、タイマ割込処理として、コマンド受信処理（Ｓ６１０）、演出ボタン処理（Ｓ６２０）、コマンド送信処理（Ｓ６３０）等を実行する。
【００７１】
次に、演出制御基板１２１のＣＰＵ１２２がタイマ割込処理として実行する主要な処理の一例について説明する。なお、以下に説明する処理も演出制御基板１２１のＣＰＵ１２２がＲＯＭ１２３に格納されているプログラムを実行することにより実現できる。
【００７２】
［コマンド受信処理］
図２６は、コマンド受信処理の一例を示したフローチャートである。
この場合、ＣＰＵ１２２は、保留数増加コマンドを受信したか否かの判別を行い（Ｓ７０１）、保留数増加コマンドを受信したと判別した場合は、保留数加算を行う（Ｓ７０２）。そして保留数加算後、保留数コマンドをセットする（Ｓ７０３）。
次に、ＣＰＵ１２２は、変動開始コマンドを受信したか否かの判別を行い（Ｓ７０４）、変動開始コマンドを受信したと判別した場合は、演出選択処理を実行する（Ｓ７０５）。
そして、演出選択処理終了後、次に変動停止コマンドを受信したか否かの判別を行う（Ｓ７０６）。なお、ステップＳ７０４において、変動開始コマンドを受信していないと判別した場合は、演出選択処理を実行することなくステップＳ７０６に進む。
【００７３】
次に、ＣＰＵ１２２は、ステップＳ７０６において、変動停止コマンドを受信したと判別した場合は、変動停止コマンドの解析を行い（Ｓ７０７）、その解析結果に基づいて、図示しないがモードフラグの変更等の各種処理を行った後、変動演出終了コマンドをセットする（Ｓ７０８）。
次に、ＣＰＵ１２２は、ステップＳ７０９において、オープニングコマンド受信処理を実行する。オープニングコマンド受信処理ではオープニングコマンドを受信したときに当たり演出選択処理を実行する。
次に、ＣＰＵ１２２は、ステップＳ７１０において、エンディングコマンド受信処理を実行する。エンディングコマンド受信処理では、エンディングコマンドを受信したときにエンディング演出選択処理を実行する。
次に、ＣＰＵ１２２は、ステップＳ７１１において、客待ちコマンド受信処理を実行する。客待ちコマンド受信処理では、客待ちコマンドを受信したときに客待ち処理を実行する。客待ちコマンド受信処理後は、コマンド受信処理を終了する。
【００７４】
［演出選択処理］
図２７は、演出選択処理の一例を示したフローチャートである。
この場合、ＣＰＵ１２２は、先ず、変動開始コマンドの解析と演出抽選を行う（Ｓ７２１、Ｓ７２２）。
次いで、ＣＰＵ１２２は、変動開始コマンドの解析結果と演出抽選により決定された遊技演出がステップアップ予告演出であるか否かの判別を行い（Ｓ７２３）、ステップアップ予告演出であると判別した場合は、上記図５〜図１０に示したようなステップアップ予告演出を実行するステップアップ予告演出パターンを選択する（Ｓ７２４）。一方、ステップＳ７２３において、ステップアップ予告演出でないと判別した場合は、ステップＳ７２５においてステップアップ予告演出以外の変動演出パターンを選択する。この後、ステップＳ７２６において、変動演出開始コマンドをセットし、続くステップＳ７２７において、演出表示中処理を行った後、ステップＳ７２８において、保留数減算を行って演出選択処理を終了する。
【００７５】
［演出表示中処理］
図２８は、演出表示中処理の一例を示したフローチャートである。
この場合、ＣＰＵ１２２は、所定のタイミングで操作ボタン１０４を所定期間有効にする（Ｓ７３１）。次いで、操作ボタン１０４の中でカーソルキー３０１〜３０４の何れかのカーソルキーコマンドがセットされたか否かの判別を行い（Ｓ７３２）、カーソルキーコマンドがセットされたと判別した場合は、カーソルキーコマンドに応じた予告演出が実行されるように予告演出パターンを変更する。これにより、図１１に示したステップアップ予告演出において遊技者が選択したいずれかのステップアップルートの予告演出画像を表示することができる。
なお、ステップＳ７３２において、カーソルキーコマンドがセットされていないと判別された場合は、予め設定されたステップアップ予告演出が実行されることになる。
【００７６】
［演出ボタン処理］
図２９は、演出ボタン処理の一例を示したフローチャートである。
この場合、ＣＰＵ１２２は、演出ボタン１０２が有効な有効期間中であるか否かの判別を行い（Ｓ９０１）、有効期間中であると判別した場合は、次にチャンスボタン１９がオンであるか否かの判別を行い（Ｓ９０２）、チャンスボタン１９やカーソルキー３０１〜３０４、エンターキー３０５等の演出ボタン１０２がオンであると判別した場合は、チャンスボタン１９やカーソルキー３０１〜３０４、エンターキー３０５に対応する演出ボタンコマンドをセットする（Ｓ９０３）。一方、ステップＳ９０１において、有効期間中でないと判別した場合、或いはステップＳ９０２において操作ボタン１０２が操作されていないと判別した場合は、演出ボタンコマンドをセットすることなく演出ボタン処理を終了する。
【符号の説明】
【００７７】
１１…画像表示装置、４１〜４４…ウインドウ画面、５１…カーソルキー画像、１００…パチンコ遊技機、１０２…操作ボタン、１１１…遊技制御基板、１１２  １２２…ＣＰＵ、１１３  １２３…ＲＯＭ、１１４  １２４…ＲＡＭ、１２１…演出制御基板、３０１〜３０４…カーソルキー
【図１】
0005978281.tif 000002
【図２】
0005978281.tif 000003
【図３】
0005978281.tif 000004
【図４】
0005978281.tif 000005
【図５】
0005978281.tif 000006
【図６】
0005978281.tif 000007
【図７】
0005978281.tif 000008
【図８】
0005978281.tif 000009
【図９】
0005978281.tif 000010
【図１０】
0005978281.tif 000011
【図１１】
0005978281.tif 000012
【図１２】
0005978281.tif 000013
【図１３】
0005978281.tif 000014
【図１４】
0005978281.tif 000015
【図１５】
0005978281.tif 000016
【図１６】
0005978281.tif 000017
【図１７】
0005978281.tif 000018
【図１８】
0005978281.tif 000019
【図１９】
0005978281.tif 000020
【図２０】
0005978281.tif 000021
【図２１】
0005978281.tif 000022
【図２２】
0005978281.tif 000023
【図２３】
0005978281.tif 000024
【図２４】
0005978281.tif 000025
【図２５】
0005978281.tif 000026
【図２６】
0005978281.tif 000027
【図２７】
0005978281.tif 000028
【図２８】
0005978281.tif 000029
【図２９】
0005978281.tif 000030